(57)【要約】【課題】  ＬＵＴを用いたデータ変換処理において、ディジタル画像信号毎にＬＵＴデータを変更するために複数のテーブル変換機能を搭載せず、１つのテーブル変換機能によりγ補正を行うことを可能とする画像処理装置を提供する。【解決手段】  入力画像データ７０が入力されると、その画像データの諧調からアドレス生成部７２が諧調に応じた参照アドレスを生成する。それと同時に特徴データ生成部７１が画像データの特徴を検出してアドレス生成部７２により生成された参照アドレスにオフセットアドレスを付加するか否かを決定してオフセット生成部７３を切り替える。そのアドレスによりメモリ７４のＬＵＴ−Ａ７４ａかＬＵＴ−Ｂ７４ｂのいずれかが選択されて出力データ７５を出力する。【選択図】  図３
2005079880.tif 000002
【特許請求の範囲】
【請求項１】
原稿面の画像を光電変換して得られた画像信号を量子化してディジタル画像信号に変換するＡ／Ｄ変換手段と、該Ａ／Ｄ変換手段により変換されたディジタル画像信号に画像処理を施す画像処理手段とを備えた画像処理装置において、
前記画像処理手段は、入力画像信号の量子化値を変換して出力画像信号とするγ補正用のルックアップテーブルを少なくとも１つ以上格納するＬＵＴメモリと、前記入力画像信号の階調値に基づいて前記ルックアップテーブルの参照アドレスを生成する参照アドレス生成部と、前記入力画像信号の各画素の特徴を生成する特徴データ生成部と、該特徴データ生成部により生成された特徴データに基づいて前記参照アドレスに付加するオフセットアドレス値を生成するオフセット生成部とを備えたことを特徴とする画像処理装置。
【請求項２】
原稿面の画像を光電変換して得られた画像信号を量子化してディジタル画像信号に変換するＡ／Ｄ変換手段と、該Ａ／Ｄ変換手段により変換されたディジタル画像信号に画像処理を施す画像処理手段とを備えた画像処理装置において、
前記画像処理手段は、入力画像信号の量子化値を変換して出力画像信号とするγ補正用のルックアップテーブルを少なくとも１つ以上格納するＬＵＴメモリと、前記入力画像信号の階調値に基づいて前記ルックアップテーブルの参照アドレスを生成する参照アドレス生成部と、前記入力画像信号の各画素の特徴を生成する特徴データ生成部と、原稿読み取り部の読み取り特性に応じたγ補正処理を行うか、若しくは書き込み部の書き込み特性に応じたγ補正処理を行うかの何れかを選択するパスデータ生成部と、前記特徴データ生成部及びパスデータ生成部により生成されたデータに基づいて前記参照アドレスに付加するオフセットアドレス値を生成するオフセット生成部とを備えたことを特徴とする画像処理装置。
【請求項３】
前記オフセット生成部は、前記ルックアップテーブル毎のアドレス空間により前記ＬＵＴメモリ上に配置されるように前記オフセットアドレス値を設定することを特徴とする請求項１又は２に記載の画像処理装置。
【請求項４】
前記画像処理手段は、前記ＬＵＴメモリに複数の異なるルックアップテーブルが格納されている場合、前記特徴データ生成部により生成された画素の特徴に基づいて前記参照アドレスにオフセットアドレス値を付加した新たなアドレス値によるルックアップテーブルを参照して前記入力画像信号の階調値を決定することを特徴とする請求項１に記載の画像処理装置。
【請求項５】
前記画像処理手段は、前記ＬＵＴメモリに複数の異なるルックアップテーブルが格納されている場合、前記特徴データ生成部及びパスデータ生成部により生成されたデータに基づいて前記参照アドレスにオフセットアドレス値を付加した新たなアドレス値によるルックアップテーブルを参照して前記入力画像信号の階調値を決定することを特徴とする請求項２に記載の画像処理装置。
【請求項６】
前記特徴データ生成部は、注目画素のエッジの可否、原稿に応じて文字、写真、及び文字と写真の混在のモードを切替えるモードデータ、及び原稿の濃度によるノッチデータ、若しくはこれらの組み合わせを各画素の特徴とすることを特徴とする請求項１乃至４の何れか一項に記載の画像処理装置。
【発明の詳細な説明】
【技術分野】
【０００１】
本発明は、ディジタル複写機、ファクシミリ、プリンタ、スキャナ、または、それらの機能を統合したディジタル複合機等として適用される画像処理装置に関し、さらに詳しくは、画像処理装置で行われるルックアップテーブルを用いたデータ変換（γ補正）が適用される画像処理装置に関するものである。
【背景技術】
【０００２】
従来、画像処理装置において、ディジタル画像データのγ補正は、図１１に示すように、画像処理部で行われる処理のひとつであるγ補正処理で用いるトーンカーブ５０に従って、入力画像信号の量子化値を変換して出力画像信号としている。即ち、このトーンカーブと呼ばれるデータ値変換用のルックアップテーブル（以下、ＬＵＴと記す）を予めメモリ上にロードしておき、ディジタル画像データの階調値に基づいてＬＵＴを参照することにより出力画像を決定するのが一般的である。図１２は、γ処理の一般的な実現方法であるＬＵＴを用いたγ補正回路のブロック図である。メモリ５５上に予め、図１１に示したトーンカーブ５０に従った量子化値変換用のＬＵＴを形成しておく。アドレス生成部５２は入力画像データ５１の値によって、変換する画像データ値が記憶されているＬＵＴ上のアドレスを生成する。メモリ５５には、アドレス５３とメモリ制御信号５４が入力され、出力画像データ５６が出力される。図１３は、一般的な適応処理のブロック図である。複写機等では文字や写真が混在した原稿をより忠実に再現した出力画像を得るために、入力画像データ６０に対して各画素の特徴データを特徴データ生成部６１により求め、その特徴量に従って適応処理部６２により各変数等を変更するなどの適応処理が使用される。ここで特徴データとしては、注目画素がエッジか否かを表す“０”または“１”の１ｂｉｔデータ、あるいはフィルタを使用してエッジの強さを表す８ｂｉｔデータ等がよく用いられる。従って、複数のＬＵＴによるγ補正を行うためにはその数だけのγ補正回路が必要となる。しかし、ＬＵＴが増えるとその数だけγ補正回路も増加するため、これを１つのγ補正回路によって行う技術が特開平０７−３２２０９６号公報に開示されている。それによると、ＬＵＴに対して別途設けられた演算回路によって補正を行い、これをγ補正回路で変換するという方法を用いている。
【特許文献１】特開平０７−３２２０９６号公報
【発明の開示】
【発明が解決しようとする課題】
【０００３】
しかしながら、特許文献１に開示されている従来技術においては、メモリ量の削減というメリットもあるものの、特別な演算回路を用いることにより処理が複雑となり、また、そのアルゴリズムの特性が原稿画像に合わず、出力画像に影響を及ぼすといった問題がある。
本発明は、かかる課題に鑑み、ＬＵＴを用いたデータ変換処理において、ディジタル画像信号毎にＬＵＴデータを変更するために複数のテーブル変換機能を搭載せず、１つのテーブル変換機能によりγ補正を行うことを可能とする画像処理装置を提供することを目的とする。
【課題を解決するための手段】
【０００４】
本発明はかかる課題を解決するために、請求項１は、原稿面の画像を光電変換して得られた画像信号を量子化してディジタル画像信号に変換するＡ／Ｄ変換手段と、該Ａ／Ｄ変換手段により変換されたディジタル画像信号に画像処理を施す画像処理手段とを備えた画像処理装置において、前記画像処理手段は、入力画像信号の量子化値を変換して出力画像信号とするγ補正用のルックアップテーブルを少なくとも１つ以上格納するＬＵＴメモリと、前記入力画像信号の階調値に基づいて前記ルックアップテーブルの参照アドレスを生成する参照アドレス生成部と、前記入力画像信号の各画素の特徴を生成する特徴データ生成部と、該特徴データ生成部により生成された特徴データに基づいて前記参照アドレスに付加するオフセットアドレス値を生成するオフセット生成部とを備えたことを特徴とする。
１種類のγ補正回路により入力画像データを補正するには限界がある。そこで従来の画像処理装置では、複数の特徴データ毎に最適なγ補正回路を用意し、画像データ毎にそれらを切替えて使用していた。そのため、回路が複雑となり、且つパフォーマンスが低下するといった問題を抱えていた。そこで本発明では、メモリ内に１つ以上のγ補正用のＬＵＴを用意し、それらの切替はメモリの参照アドレスにオフセットアドレスを付加するか否かにより行っている。即ち、特徴データ生成部により生成された特徴データに基づいてオフセットアドレスを付加するか否かを選択するものである。これにより複数のγ補正回路を必要とせず、簡単な回路構成でＬＵＴの切替が行われ処理速度を向上することができる。
かかる発明によれば、複数のＬＵＴの切替を参照アドレスにオフセットアドレスを付加するか否かを選択することにより行っているので、複数のγ補正回路を必要とせず、簡単な回路構成でＬＵＴの切替が行われパフォーマンスの低下を防止することができる。
【０００５】
請求項２は、原稿面の画像を光電変換して得られた画像信号を量子化してディジタル画像信号に変換するＡ／Ｄ変換手段と、該Ａ／Ｄ変換手段により変換されたディジタル画像信号に画像処理を施す画像処理手段とを備えた画像処理装置において、前記画像処理手段は、入力画像信号の量子化値を変換して出力画像信号とするγ補正用のルックアップテーブルを少なくとも１つ以上格納するＬＵＴメモリと、前記入力画像信号の階調値に基づいて前記ルックアップテーブルの参照アドレスを生成する参照アドレス生成部と、前記入力画像信号の各画素の特徴を生成する特徴データ生成部と、原稿読み取り部の読み取り特性に応じたγ補正処理を行うか、若しくは書き込み部の書き込み特性に応じたγ補正処理を行うかの何れかを選択するパスデータ生成部と、前記特徴データ生成部及びパスデータ生成部により生成されたデータに基づいて前記参照アドレスに付加するオフセットアドレス値を生成するオフセット生成部とを備えたことを特徴とする。
本発明は請求項１に更にパスデータ生成部を追加したものである。従来の画像処理装置は、読み取り部によって読み取られた原稿画像は画像処理部に入力され、γ補正処理、フィルタ処理などを施されてメモリ制御部を介してハードディスク等の外部記憶装置へ転送されるパスと、一旦、外部記憶装置に蓄積された画像データは再びメモリ制御部を介して画像処理部に入力され、γ処理、階調処理等を施され書き込み部に転送され複写原稿として出力されるパスがある。従って、往復のパスでγ補正処理を２回実行することになり、γ補正回路が２つ必要となる。これは読み取り部における読み取り特性と、書き込み部における書き込み特性に応じてそれぞれ補正を行う必要があるためである。そこで本発明では、γ補正回路を１つにするために、ＬＵＴの参照アドレスのオフセットを付加する条件にこのパスデータを更に追加したものである。
かかる発明によれば、各画素の特徴以外にパスの違いによりＬＵＴの参照アドレスのオフセットを付加するか否かを決定するので、更に最適なＬＵＴを選択することが可能となり、画像品質を更に良くすることができる。
【０００６】
請求項３は、前記オフセット生成部は、前記ルックアップテーブル毎のアドレス空間により前記ＬＵＴメモリ上に配置されるように前記オフセットアドレス値を設定することを特徴とする。
アドレス生成部は、入力画像データの諧調に応じてＬＵＴの参照アドレスを決定して出力する。例えば、２５６階調のデータを記録する場合は、この諧調単位でメモリのアドレスが切り替われば複数のＬＵＴ毎に区別することができる。そこで本発明では、参照アドレスに付加するオフセットをＬＵＴが切り替わる単位のアドレスになるようにオフセットアドレス値を設定するようにする。
かかる発明によれば、オフセット生成部は、ルックアップテーブル毎のアドレス空間によりＬＵＴメモリ上に配置されるので、ＬＵＴを切り替える回路を必要とせず、アドレスにオフセットを付加するだけでＬＵＴを切替することができる。
【０００７】
請求項４は、前記画像処理手段は、前記ＬＵＴメモリに複数の異なるルックアップテーブルが格納されている場合、前記特徴データ生成部により生成された画素の特徴に基づいて前記参照アドレスにオフセットアドレス値を付加した新たなアドレス値によるルックアップテーブルを参照して前記入力画像信号の階調値を決定することを特徴とする。
画素の特徴、例えばエッジの可否によりγ補正のトーンカーブを変更する場合、２種類のトーンカーブをメモリに記憶しておく。そして特徴データ生成部が選択した特徴データによりどちらかのトーンカーブが選択されて入力画素データに基づいた出力信号が出力される。この場合、特徴データ生成部が選択するＬＵＴのアドレスが参照アドレスに対してオフセットを付加するか否かによりアドレス空間をＬＵＴ単位で選択することができる。
かかる発明によれば、特徴データ生成部により生成された画素の特徴に基づいて参照アドレスにオフセットアドレス値を付加した新たなアドレス値によるルックアップテーブルを参照して入力画像信号の階調値を決定するので、特徴データにより切り替える回路が不必要となり、簡単な回路構成で複数のＬＵＴを任意に選択することができる。
請求項５は、前記画像処理手段は、前記ＬＵＴメモリに複数の異なるルックアップテーブルが格納されている場合、前記特徴データ生成部及びパスデータ生成部により生成されたデータに基づいて前記参照アドレスにオフセットアドレス値を付加した新たなアドレス値によるルックアップテーブルを参照して前記入力画像信号の階調値を決定することを特徴とする。
本発明は請求項４の特徴データ生成部以外にパスデータ生成部を更に備えている。そして特徴データ生成部とパスデータ生成部の組み合わせが４種類あるので、２ビットのデータの組み合わせにより、４種類のＬＵＴを用意することができる。即ち、各ＬＵＴのアドレス空間単位にオフセット値を追加することにより、４種類のＬＵＴをメモリに配置することが可能となる。
かかる発明によれば、特徴データ生成部とパスデータ生成部の組み合わせにより複数のＬＵＴのアドレス空間を配置できるので、１つのγ補正回路で複数のＬＵＴのγ補正が可能となる。
【０００８】
請求項６は、前記特徴データ生成部は、注目画素のエッジの可否、原稿に応じて文字、写真、及び文字と写真の混在のモードを切替えるモードデータ、及び原稿の濃度によるノッチデータ、若しくはこれらの組み合わせを各画素の特徴とすることを特徴とする。
特徴データ生成部は、画像データの特徴をみつけてその特徴を正確に表現するように、最適なγ補正を行うことが必要である。従って、その種類は各種考えられ、例えば注目画素のエッジの可否、原稿に応じて文字、写真、及び文字と写真の混在のモードを切替えるモードデータ、及び原稿の濃度によるノッチデータ等がある。
かかる発明によれば、注目画素のエッジの可否、原稿に応じて文字、写真、及び文字と写真の混在のモードを切替えるモードデータ、及び原稿の濃度によるノッチデータ、若しくはこれらの組み合わせを各画素の特徴とするので、幅広い原稿の内容に対して最適な画像を出力することができる。
【発明の効果】
【０００９】
請求項１の発明によれば、複数のＬＵＴの切替を参照アドレスにオフセットアドレスを付加するか否かを選択することにより行っているので、複数のγ補正回路を必要とせず、簡単な回路構成でＬＵＴの切替が行われパフォーマンスの低下を防止することができる。
また請求項２では、各画素の特徴以外にパスの違いによりＬＵＴの参照アドレスのオフセットを付加するか否かを決定するので、更に最適なＬＵＴを選択することが可能となり、画像品質を更に良くすることができる。
また請求項３では、オフセット生成部は、ルックアップテーブル毎のアドレス空間によりＬＵＴメモリ上に配置されるので、ＬＵＴを切り替える回路を必要とせず、アドレスにオフセットを付加するだけでＬＵＴを切替することができる。
また請求項４では、特徴データ生成部により生成された画素の特徴に基づいて参照アドレスにオフセットアドレス値を付加した新たなアドレス値によるルックアップテーブルを参照して入力画像信号の階調値を決定するので、特徴データにより切り替える回路が不必要となり、簡単な回路構成で複数のＬＵＴを任意に選択することができる。
また請求項５では、特徴データ生成部とパスデータ生成部の組み合わせにより複数のＬＵＴのアドレス空間を配置できるので、１つのγ補正回路で複数のＬＵＴのγ補正が可能となる。
また請求項６では、注目画素のエッジの可否、原稿に応じて文字、写真、及び文字と写真の混在のモードを切替えるモードデータ、及び原稿の濃度によるノッチデータ、若しくはこれらの組み合わせを各画素の特徴とするので、幅広い原稿の内容に対して最適な画像を出力することができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の画像処理装置の一実施形態に係る複写機の構成を示した図である。この複写機１００は読み取り部１１０、画像処理部１２０、システム制御部１３０、及び像形成部１４０を備えて構成される。そして読み取り部１１０は原稿１の原稿面はランプ２から照射された光が原稿１の面で反射し、ＣＣＤ３により電気信号に変換され、増幅器４で振幅調整された後、Ａ／Ｄ変換器５で量子化されたディジタル画像データとなる。生成されたディジタル画像データは、シェーディング補正部６でシェーディング補正処理され、画像処理部１２０に入力され、フィルタ処理７、γ補正処理８、階調処理９などが施されて、像形成部１４０に送られる。像形成部１４０に入力されたディジタル画像データは、書き込み部１０によりそのデータ値に従いレーザ光に変換され、帯電チャージャ１１により帯電された感光体１２に照射され、感光体面に静電潜像を形成する。現像スリーブ１３は形成された静電潜像に従い、感光体面にトナーを付着させる。感光体面に付着したトナーは、給紙トレーＡ〜Ｄから送られてきた紙面上に転写され定着部１４を通り複写原稿として出力される。
【００１１】
図２は特徴データが「０」の場合と「１」の場合のトーンカーブを表す図である。図２（ａ）は特徴データが「０」の場合、図２（ｂ）は特徴データが「１」の場合のトーンカーブである。図のように１ｂｉｔ２値の特徴データ（＝０または１）に従って、２種類のＬＵＴ（ＬＵＴ＿Ａ，ＬＵＴ＿Ｂ）のうち、画素毎に一方のＬＵＴを選択する８ｂｉｔ２５６階調適応γ処理の場合、メモリ上には図４に示すような２つのＬＵＴデータを用意する。即ち、特徴データ＝０に対応するＬＵＴをＬＵＴ＿Ａ、特徴データ＝１に対応するＬＵＴをＬＵＴ＿Ｂとすると、ＬＵＴ＿Ｂ［ｉ］＝ＬＵＴ＿Ａ［ｉ＋２５６］，ｉ＝入力画像データと表すことができる。つまり、特徴データによりＬＵＴ参照アドレスにオフセット（この場合は０＊０１００ｈのアドレス）を付加することにより２種類のＬＵＴを２つのテーブル変換器で実行するのではなく、１つのγ補正回路で実現することができる。ここでは、ＬＵＴを２種類、階調数を８ｂｉｔ２５６階調とした場合について例を示したが、それぞれの数は任意である。例えは、特徴データを３種類（＝０，１，２）、それに対応する階調数をそれぞれ１２８（４ｂｉｔ），２５６（８ｂｉｔ），２５６（８ｂｉｔ）階調としたＬＵＴ（ＬＵＴ＿Ａ，ＬＵＴ＿Ｂ，ＬＵＴ＿Ｃ）場合、メモリ上にはＬＵＴデータを図５のように配置すると、ＬＵＴ＿ＢおよびＬＵＴ＿Ｃは次のように表すことができる。ＬＵＴ＿Ｂ［ｉ］＝ＬＵＴ＿Ａ［ｉ＋１２８］、ＬＵＴ＿Ｃ［ｉ］＝ＬＵＴ＿Ｂ［ｉ＋２５６］＝ＬＵＴ＿Ａ［ｉ＋３８４］，ｉ＝入力画像データ、したがって、３種類のＬＵＴは１つのγ補正回路によって実行可能となる。
【００１２】
図３は本発明の第１の実施形態の画像処理装置を模式化した図である。入力画像データ７０が入力されると、その画像データの諧調からアドレス生成部７２が諧調に応じた参照アドレスを生成する。それと同時に特徴データ生成部７１が画像データの特徴を検出してアドレス生成部７２により生成された参照アドレスにオフセットアドレスを付加するか否かを決定してオフセット生成部７３を切り替える。例えば、オフセット生成部７３により特徴データ「０」が検出されると、アドレス生成部７２は図４のＬＵＴ＿Ａのアドレスを指定してメモリ７４のＬＵＴ＿Ａ７４ａの参照アドレスのＬＵＴから対応する階調の出力データ７５を出力する。またオフセット生成部７３により特徴データ「１」が検出されると、オフセット生成部７３はアドレス生成部７２の図４のＬＵＴ＿Ａのアドレスにオフセット［ｉ＋２５６］を追加する。それによりメモリ７４のＬＵＴ＿Ｂ７４ｂの参照アドレスのＬＵＴから対応する階調の出力データ７５を出力する。
【００１３】
図６は、他の実施形態における簡略化した複写機のブロック図である。読み取り部２０によって読み取られた原稿画像は画像処理部２１に入力され、γ補正処理２２、フィルタ処理２３などを施され、メモリ制御部２４を介してハードディスク等の外部記憶装置２５へ転送される（以下、ＳｔｏＭパスと記す）。いったん外部記憶装置２５に蓄積された画像データは再びメモリ制御部２４を介して画像処理部２１に入力され、γ処理２６、階調処理２７等を施され書き込み部２８に転送され、複写原稿として出力される（以下、ＭｔｏＰパスと記す）。ここでγ補正処理を２回実行するのはＳｔｏＭパスでは読み取り部における読み取り特性に応じて、ＭｔｏＰパスでは書き込み部における書き込み特性に応じてそれぞれ補正を行うためである。しかし、例えばプログラマブルな画像処理プロセッサを用いて画像処理を行う場合、そのプロセッサがＬＵＴ機能を１つしか実装していないことが考えられる。このような場合には図７のようにγ補正回路３０を１つ備えた構成にし、ＬＵＴをパス毎に時分割で使用するようにするなどの制御が必要となり、ＳｔｏＭパス、ＭｔｏＰパスが交互に連続して行われた場合などは、そのたびにＬＵＴデータを入れ替えなくてはならない。このＬＵＴデータの入れ替え操作の間はγ補正処理を実行できないため、複写速度に対するパフォーマンスが低下してしまう。
そこで、例えばパス（ＳｔｏＭ，ＭｔｏＰ）を表すパスデータを２種類（＝０，１）、特徴データを２種類（＝０，１）に対応する８ｂｉｔ２５６階調のＬＵＴ（ＬＵＴ＿Ａ，ＬＵＴ＿Ｂ（ＳｔｏＭ）、ＬＵＴ＿Ｃ，ＬＵＴ＿Ｄ（ＭｔｏＰ））を考えた場合、図８に示すようにＬＵＴデータのビット数（本実施例の場合８ｂｉｔ）＋１ビット目に特徴データ３１を示すビット、＋２ビット目にパスデータ３２を示すビットをそれぞれ割り当てる。つまり、特徴データ３１は０ｘ０１００ｈまたは０ｘ０２００ｈ、パスデータは０ｘ０３００ｈまたは０ｘ０４００ｈとし、これをＬＵＴ参照アドレスのオフセットとすると、メモリ上には図１０のように全てのＬＵＴデータを配置するができる。即ち、０ｘ００００ｈから０ｘ０１００ｈまでＬＵＴ＿Ａ、０ｘ０１００ｈから０ｘ０２００ｈまでＬＵＴ＿Ｂ（ＳｔｏＭ）、０ｘ０２００ｈから０ｘ０３００ｈまでＬＵＴ＿Ｃ、０ｘ０３００ｈから０ｘ０４００ｈまでＬＵＴ＿Ｄ（ＭｔｏＰ）として配置することができる。
【００１４】
図９は本発明の第２の実施形態の画像処理装置を模式化した図である。入力画像データ８０が入力されると、その画像データの諧調からアドレス生成部８３が諧調に応じた参照アドレスを生成する。それと同時に特徴データ生成部８１が画像データの特徴を検出し、更にパスデータ生成部８２がアドレス生成部８３により生成された参照アドレスにオフセットアドレスを付加するか否かを決定してオフセット生成部８４を切り替える。例えば、オフセット生成部８４により特徴データ「０」、パスデータ「０」が検出されると、アドレス生成部８３は図１０のＬＵＴ＿Ａのアドレスを指定してメモリ８５のＬＵＴ＿Ａ８５ａの参照アドレスのＬＵＴから対応する階調の出力データ８６を出力する。またオフセット生成部８４により特徴データ「１」、パスデータ「０」が検出されると、オフセット生成部８４はアドレス生成部８３の図１０のＬＵＴ＿Ａのアドレスにオフセット［ｉ＋２５６］を追加する。それによりメモリ８５のＬＵＴ＿Ｂ８５ｂの参照アドレスのＬＵＴから対応する階調の出力データ７５を出力する。以下、同様にして特徴データ「０」、パスデータ「１」の場合はＬＵＴ＿Ｃ，特徴データ「１」、パスデータ「１」の場合はＬＵＴ＿Ｄの参照アドレスのＬＵＴから対応する階調の出力データ７５を出力する。
以上の通り、複数のＬＵＴをメモリ上に確保することにより、ＬＵＴデータの入れ替え操作を減らすことが可能となる。特に並行動作時の連続的なパスの切り替え時にはパフォーマンスの低下を防ぐことができる。また、複数のＬＵＴをアドレスの操作により変更できるため、複数のγ補正回路を持つ必要がなくなる。
尚、本実施形態ではＬＵＴ変更の要因を画像の特徴データおよびパスの変更によるパスデータとしたが、原稿に応じて文字、写真、文字／写真といったモードの切り替えによるモードデータ、複写原稿の濃度によるノッチデータなどとし、また、これらの組み合わせとしても良い。
【図面の簡単な説明】
【００１５】
【図１】本発明の画像処理装置の実施形態の一例を示す図である。
【図２】本発明の実施形態における適応γ補正処理の一例を示す図である。
【図３】本発明の第１の実施形態の画像処理装置を模式化した図である。
【図４】本発明の実施形態におけるＬＵＴのメモリマップを示す図である。
【図５】本発明の実施形態におけるＬＵＴのメモリマップを示す図である。
【図６】本発明の画像処理装置の実施形態の一例を示す図である。
【図７】本発明の画像処理装置の実施形態の一例を示す図である。
【図８】本発明の実施形態におけるアドレス変換の一例を示す図である。
【図９】本発明の第２の実施形態の画像処理装置を模式化した図である。
【図１０】本発明の実施形態におけるＬＵＴのメモリマップを示す図である。
【図１１】従来の画像処理部で行われる処理の一つであるγ補正処理で用いられるトーンカーブの一例を示す図である。
【図１２】従来のγ処理補正の一般的な実現方法であるＬＵＴを用いたγ補正回路のブロック図である。
【図１３】従来の画像処理部で行われる処理の一つである適応処理のブロックの一例を示す図である。
【符号の説明】
【００１６】
７０  入力画像データ、７１  特徴データ生成部、７２  アドレス生成部、７３  オフセット生成部、７４  メモリ
【図１】
2005079880.tif 000003
【図２】
2005079880.tif 000004
【図３】
2005079880.tif 000005
【図４】
2005079880.tif 000006
【図５】
2005079880.tif 000007
【図６】
2005079880.tif 000008
【図７】
2005079880.tif 000009
【図８】
2005079880.tif 000010
【図９】
2005079880.tif 000011
【図１０】
2005079880.tif 000012
【図１１】
2005079880.tif 000013
【図１２】
2005079880.tif 000014
【図１３】
2005079880.tif 000015